(57)【要約】【課題】本発明の課題は、ユーザが機能的に相容れない省エネルギー制御を誤って同時に動作させることを未然に防止することができる省エネルギー制御システムを提供することにある。【解決手段】本発明に係る設備制御システム１では、優先度情報関連付け手段が、複数種類の省エネルギー制御手段に対して、優先度情報を関連付ける。また、省エネルギー制御選択手段５２ａ，５２ｂ，５２ｃが、表示画面上においていずれか１つの省エネルギー制御手段を選択させる。そして、第１省エネルギー制御手段切換手段が、省エネルギー制御選択手段において動作中の省エネルギー制御手段に対応する優先度情報よりも高い優先度情報が関連付けられる省エネルギー制御手段（以下「高優先度省エネルギー制御手段」という）が選択された場合に、動作中の省エネルギー制御手段を停止させると共に高優先度省エネルギー制御手段を動作させる。【選択図】図２
2010025352.tif 000002
【特許請求の範囲】
【請求項１】
複数種類の省エネルギー制御手段と、
前記複数種類の省エネルギー制御手段に対して、優先度情報を関連付ける優先度情報関連付け手段と、
表示画面上においていずれか１つの前記省エネルギー制御手段を選択させる省エネルギー制御選択手段（５２ａ，５２ｂ，５２ｃ）と、
前記省エネルギー制御選択手段において動作中の省エネルギー制御手段に対応する優先度情報よりも高い優先度情報が関連付けられる省エネルギー制御手段（以下「高優先度省エネルギー制御手段」という）が選択された場合に、前記動作中の省エネルギー制御手段を停止させると共に高優先度省エネルギー制御手段を動作させる第１省エネルギー制御手段切換手段と
を備える設備制御システム（１）。
【請求項２】
前記動作中の省エネルギー制御手段に対応する優先度情報よりも低い優先度情報が関連付けられる省エネルギー制御手段の選択を禁止する低優先度省エネルギー制御手段禁止手段をさらに備える
請求項１に記載の設備制御システム。
【請求項３】
前記動作中の省エネルギー制御手段の動作を停止させる省エネルギー制御手段停止手段と、
前記省エネルギー制御手段停止手段において停止された省エネルギー制御手段の１つ前に動作していた省エネルギー制御手段の設定情報を記憶している設定情報記憶手段と、
前記省エネルギー制御手段停止手段において前記省エネルギー制御手段が停止された場合、停止された省エネルギー制御手段の１つ前に動作していた省エネルギー制御手段を、前記設定情報記憶手段に記憶される前記設定情報に基づいて動作させる第２省エネルギー制御手段切換手段と
をさらに備える請求項１または２に記載の設備制御システム。
【発明の詳細な説明】
【技術分野】
【０００１】
本発明は、設備制御システムに関する。
【背景技術】
【０００２】
従前から様々な省エネルギー制御が提案され実現化されている（例えば、特許文献１、非特許文献１、非特許文献２参照）。通常、このような省エネルギー制御は１つのシステムに対して１種のみが搭載されている。
【特許文献１】特開２００７−２１２０３８号公報
【非特許文献１】ダイキンファシリティーズ株式会社、“省エネ提案”、［online］、[平成２０年７月１日検索]、インターネット＜URL：http://www.daikin-dfc.com/business/management/solution/shoene/index.html＞
【非特許文献２】ダイキン工業株式会社、CORPORATE NEWS、“業界初の実用化  年間電気代を最大約４４％削減  ビル空調向け「遠隔省エネチューニングサービス（商品名：省エネ当番）」を開始”、［online］、［平成２０年７月１日検索］、インターネット＜URL：http://www.daikin.co.jp/press/2006/061106/index.html＞
【発明の開示】
【発明が解決しようとする課題】
【０００３】
ところで、システムのユーザが購入前のパンフレット等から実際の省エネルギー効果を具体的に把握することは難しく、そのようなユーザには、実際にいくつかの省エネルギー制御を現地で試してみたいという要望がある。しかし、ユーザが複数種類の省エネルギー制御を自由に選択することができるようにすると、ユーザが機能的に相容れない省エネルギー制御を誤って同時に動作させるおそれがある。
【０００４】
本発明の課題は、ユーザが機能的に相容れない省エネルギー制御を誤って同時に動作させることを未然に防止することができる省エネルギー制御システムを提供することにある。
【課題を解決するための手段】
【０００５】
第１発明に係る設備制御システムは、複数種類の省エネルギー制御手段、優先度情報関連付け手段、省エネルギー制御選択手段および第１省エネルギー制御手段切換手段を備える。優先度情報関連付け手段は、複数種類の省エネルギー制御手段に対して、優先度情報を関連付ける。省エネルギー制御選択手段は、表示画面上においていずれか１つの省エネルギー制御手段を選択させる。第１省エネルギー制御手段切換手段は、省エネルギー制御選択手段において動作中の省エネルギー制御手段に対応する優先度情報よりも高い優先度情報が関連付けられる省エネルギー制御手段（以下「高優先度省エネルギー制御手段」という）が選択された場合に、動作中の省エネルギー制御手段を停止させると共に高優先度省エネルギー制御手段を動作させる。
【０００６】
このため、この設備制御システムでは、ユーザが機能的に相容れない省エネルギー制御を誤って同時に動作させることを未然に防止することができる。
【０００７】
第２発明に係る設備制御システムは、第１発明に係る設備制御システムであって、低優先度省エネルギー制御手段禁止手段をさらに備える。低優先度省エネルギー制御手段禁止手段は、動作中の省エネルギー制御手段に対応する優先度情報よりも低い優先度情報が関連付けられる省エネルギー制御手段の選択を禁止する。
【０００８】
このため、この設備制御システムでは、ユーザに対して有効な選択肢のみを提供することができる。
【０００９】
第３発明に係る設備制御システムは、第１発明または第２発明に係る設備制御システムであって、省エネルギー制御手段停止手段、設定情報記憶手段および第２省エネルギー制御手段切換手段をさらに備える。省エネルギー制御手段停止手段は、動作中の省エネルギー制御手段の動作を停止させる。設定情報記憶手段は、省エネルギー制御手段停止手段において停止された省エネルギー制御手段の１つ前に動作していた省エネルギー制御手段の設定情報を記憶している。第２省エネルギー制御手段切換手段は、省エネルギー制御手段停止手段において省エネルギー制御手段が停止された場合、停止された省エネルギー制御手段の１つ前に動作していた省エネルギー制御手段を、設定情報記憶手段に記憶される設定情報に基づいて動作させる。
【００１０】
このため、この設備制御システムでは、省エネルギー制御手段を切り換えたときの再設定の手間を省くことができる。
【発明の効果】
【００１１】
第１発明に係る設備制御システムでは、ユーザが機能的に相容れない省エネルギー制御を誤って同時に動作させることを未然に防止することができる。
【００１２】
第２発明に係る設備制御システムでは、ユーザに対して有効な選択肢のみを提供することができる。
【００１３】
第３発明に係る設備制御システムでは、省エネルギー制御手段を切り換えたときの再設定の手間を省くことができる。
【発明を実施するための最良の形態】
【００１４】
本発明の実施の形態に係る空調設備制御システム１は、図１に示されるように、主に、中央サーバ装置１０、ローカルコントローラ３０および空気調和装置４０から構成されている。なお、本実施の形態において、中央サーバ装置１０は中央管理室３に設けられており、ローカルコントローラ３０および空気調和装置４０は複数の不動産物件５Ａ，５Ｂ，５Ｃ，５Ｄ，５Ｅに設けられている。また、図１から明らかなように、各不動産物件５Ａ，５Ｂ，５Ｃ，５Ｄ，５Ｅにおいて空気調和装置４０はローカルコントローラ３０に通信接続されており、ローカルコントローラ３０はインターネット回線２０を介して中央サーバ装置１０に通信接続されている。
【００１５】
以下、本実施の形態に係る空調設備制御システム１の構成についてそれぞれ詳述する。
【００１６】
（１）空気調和装置
空気調和装置４０は、図１に示されるように、マルチ式空気調和装置であって、主に、１台の室外機４１および複数台の室内機４２から構成されている。
【００１７】
（２）中央サーバ装置
中央サーバ装置１０は、遠隔地において空気調和装置４０の監視および制御を行う監視制御装置である。そして、この中央サーバ装置１０には、インターネット回線２０およびローカルコントローラ３０を介して空気調和装置４０の省エネルギー制御を行う第１遠隔省エネルギー制御機能および第２遠隔省エネルギー制御機能が搭載されている。
【００１８】
第１遠隔省エネルギー制御機能は、気象条件（気象庁アメダスデータ）や空気調和装置４０の設置状況・使用方法に応じて空気調和装置４０に対して省エネルギー運転をさせる機能であって、主に、ピーク電力低減制御機能、能力セーブ制御機能および冷媒温度制御機能から構成される。
【００１９】
ピーク電力低減制御機能では、中央サーバ装置１０が、ローカルコントローラ３０を介して常に目標電力以下になるように室外機４１の能力制御（運転電流の制限）を行って、空気調和装置４０のピーク電力を抑制し、空気調和装置４０の運転電力を低減する。
【００２０】
能力セーブ制御では、中央サーバ装置１０が、冷やし過ぎや暖め過ぎなどの無駄な運転をしている空気調和装置４０を自動で検知し、過去の運転状態や当日の気象データに基づいて能力上限値をコントロールし、空気調和装置４０に対して自動的に快適性を重視した能力セーブ運転を実行させる。
【００２１】
冷媒温度制御では、中央サーバ装置１０が、空気調和装置４０の運転状態から不動産物件５Ａ，５Ｂ，５Ｃ，５Ｄ，５Ｅの冷房負荷を自動的に判断し、当日の気象データに基づいて最適な冷媒（蒸発）温度にコントロールして、空気調和装置４０に対して最も効率のよい運転を行わせる。
【００２２】
第２遠隔省エネルギー制御機能は、気象条件（気象庁アメダスデータ）や空気調和装置４０の運転状態に応じてローカルコントローラ３０に適切なデマンド制御の設定を行う機能である。
【００２３】
（３）ローカルコントローラ
ローカルコントローラ３０は、現地にて空気調和装置４０の監視および制御を行う監視制御装置である。そして、このローカルコントローラ３０には、通常デマンド制御機能が搭載されている。
【００２４】
また、このローカルコントローラ３０には図示しないパーソナルコンピュータが通信接続されている。そして、このパーソナルコンピュータには、ローカルコントローラ３０用の設定プログラムがインストールされている。そして、このローカルコントローラ３０の設定プログラムには省エネルギー制御機能切換モジュールが含まれており、ユーザの選択により、図２に示されるような省エネルギー制御機能切換ダイアログ５０がディスプレイ（図示せず）上に表示される。
【００２５】
この省エネルギー制御機能切換ダイアログ５０には、主に、情報表示部５１や、通常デマンド制御選択ボタン５２ａ、第１遠隔省エネルギー制御選択ボタン５２ｂ、第２遠隔省エネルギー制御選択ボタン５２ｃ、解除ボタン５２ｄが設けられている。
【００２６】
情報表示部５１には、その時点で実行中の省エネルギー制御の種類が表示される。
【００２７】
通常デマンド制御選択ボタン５２ａ、第１遠隔省エネルギー制御選択ボタン５２ｂおよび第２遠隔省エネルギー制御選択ボタン５２ｃには、図３に示されるように、それぞれ、優先順位の情報が関連付けられている。なお、本実施の形態において、優先順位は、図３に示されるように、第２遠隔省エネルギー制御、第１遠隔省エネルギー制御および通常デマンド制御の順に高くなっている。そして、例えば、通常デマンド制御中に、第１遠隔省エネルギー制御選択ボタン５２ｂがクリックされると、ローカルコントローラ３０は、通常デマンド制御を停止させると共に第１遠隔省エネルギー制御を実行する。そして、このとき、通常デマンド制御選択ボタン５２ａは、図２に示されるように、自動的に非表示状態とされる。つまり、これ以降、ユーザが通常デマンド制御選択ボタン５２ａをクリックしたとしても通常デマンド制御が実行されることはない。また、このとき、通常デマンド制御機能の設定情報がローカルコントローラ３０の記憶部（図示せず）に記憶される。
【００２８】
解除ボタン５２ｄは、常に表示状態とされており、クリックされると、実行中の省エネルギー制御を停止すると共にその１つ前に実行されていた省エネルギー制御を実行する。なお、このとき、ローカルコントローラ３０は、記憶部に記憶される設定情報を読み出して設定すると共に、停止された省エネルギー制御機能の設定情報をローカルコントローラ３０の記憶部に記憶する。
【００２９】
なお、遠隔省エネルギー制御が通常デマンド制御に切り換えられる場合、ローカルコントローラ３０は、インターネット回線２０を介して中央サーバ装置１０に、遠隔省エネルギー制御停止要求信号を送信する。また、通常デマンド制御が遠隔省エネルギー制御に切り換えられる場合、ローカルコントローラ３０は、インターネット回線２０を介して中央サーバ装置１０に、遠隔省エネルギー制御開始要求信号を送信する。
【００３０】
＜空調設備制御システムの特徴＞
本実施の形態に係る空調設備制御システム１では、低優先順位の省エネルギー制御中に、高優先順位の省エネルギー制御に対応する選択ボタン５２ｂ，５２ｃがクリックされると、ローカルコントローラ３０は、低優先順位の省エネルギー制御を停止させると共に高優先順位の省エネルギー制御を実行する。このため、この空調設備制御システム１では、ユーザが機能的に相容れない省エネルギー制御を誤って同時に動作させることを未然に防止することができる。
【００３１】
また、このとき、低優先順位の省エネルギー制御に対応する選択ボタン５２ａ，５２ｂが自動的に非表示状態とされる。このため、この空調設備制御システム１では、ユーザに対して有効な選択肢のみを提供することができる。
【００３２】
さらに、このとき、低優先順位の省エネルギー制御機能の設定情報がローカルコントローラ３０の記憶部（図示せず）に記憶され、その後、解除ボタンがクリックされると、ローカルコントローラ３０が、実行中の省エネルギー制御（高優先順位の省エネルギー制御）機能の設定情報を記憶部に記憶した後にその省エネルギー制御機能を停止すると共にその１つ前に実行されていた省エネルギー制御（低優先順位の省エネルギー制御）機能の設定情報を記憶部から読み込んで設定してその省エネルギー制御の実行を開始する。このため、この空調設備制御システム１では、省エネルギー制御機能を切り換えたときの再設定の手間を省くことができる。
【産業上の利用可能性】
【００３３】
本発明に係る設備制御システムは、ユーザが機能的に相容れない省エネルギー制御を誤って同時に動作させることを未然に防止することができるという特徴を有しており、省エネルギー制御機能が複数種類用意されているような設備制御システムに有効である。
【図面の簡単な説明】
【００３４】
【図１】本発明の実施の形態に係る空調設備制御システムの概略構成図である。
【図２】本発明の実施の形態に係る空調設備制御システムを構成するパーソナルコンピュータのディスプレイに表示される省エネルギー制御機能切換ダイアログを表す図である。
【図３】本発明の実施の形態に係る空調設備制御システムに搭載される省エネルギー制御機能の優先順位情報を示すテーブルを表す図である。
【符号の説明】
【００３５】
１      空調設備制御システム（設備制御システム）
５２ａ    通常デマンド制御選択ボタン（省エネルギー制御選択手段）
５２ｂ    第１遠隔省エネルギー制御選択ボタン（省エネルギー制御選択手段）
５２ｃ    第２遠隔省エネルギー制御選択ボタン（省エネルギー制御選択手段）
【図１】
2010025352.tif 000003
【図２】
2010025352.tif 000004
【図３】
2010025352.tif 000005